(57)【特許請求の範囲】
【請求項１】
電磁遮蔽用導電性筐体（１０）内又はその周壁の一部（１１）に配置される機器本体（２０）と、
前記筐体内にて支持される配線板（３０）と、
この配線板に配置されて前記機器本体に接続される電子回路（５０乃至８０）とを備える電子機器において、
前記配線板は、その支持端部（３０ａ）にて、前記筐体の内壁の一部（１２）に支持されており、
当該配線板は、前記支持端部を介し前記筐体の内壁の一部に接続された筐体用アース配線部（３１、３３、３４）と、このアース配線部中に直列接続したインダクタ（１００）とを備えており、
前記配線板は、前記電子回路用アース配線部（３２）を備えており、
前記筐体用アース配線部は、外部アース配線（１１１）に対し前記電子回路用アース配線部の一部（３２ａ）と共に接続したアース端部を除き、前記電子回路用アース配線部とは分離して位置することを特徴とする電子機器。
【請求項２】
前記インダクタは、高周波ノイズを低減する周波数特性を有することを特徴とする請求項１に記載の電子機器。
【請求項３】
前記機器本体は、前記筐体の周壁の一部に配置されたＥＬパネルであり、
前記電子回路は、前記ＥＬパネルを駆動制御する回路であり、
前記配線板は、前記外部アース配線に接続したアース端子を有するコネクタ（９０）を備えており、
前記筐体用アース配線部は、前記アース端部にて、前記電子回路用アース配線部の一部と共に、前記コネクタのアース端子に接続されていることを特徴とする請求項１又は２に記載の電子機器。
【発明の詳細な説明】
【０００１】
【発明の属する技術分野】
本発明は、ＥＬ表示装置等の電子機器に関する。
【０００２】
【従来の技術】
この種の電子機器としては、例えば、特開平５−２８３８８２号公報にて示すようなＥＬ表示装置がある。このＥＬ表示装置は、ケースの開口部にＥＬパネルを設け、ケース内においてＥＬパネルの端部から延出するフレキシブルプリント配線板上に駆動回路を実装して構成されている。
【０００３】
このＥＬ表示装置では、プリント配線板の配線の一部を透磁性導電シートでもってループ状に包み込むことにより、プリント配線板の配線に流れる電流を制御し、放射ノイズの漏れを抑制するようにしている。
【０００４】
【発明が解決しようとする課題】
しかし、上記ＥＬ表示装置では、放射ノイズが高周波ノイズになると、駆動回路やＥＬパネルから放射されるノイズがプリント配線板の配線を通り外部のワイヤハーネスへでて行く誘導ノイズの増加を引き起こす。このため、電磁波に対して特に厳しい基準が設けられている車両や航空機等では、ラジオ等の周辺機器に対して上記誘導ノイズが悪影響を与えるという不具合がある。
【０００５】
そこで、本発明は、以上のようなことに対処するため、電子機器において、その誘導ノイズの外部への漏洩を適正に抑制することを目的とする。
【０００６】
【課題を解決するための手段】
上記課題の解決にあたり、請求項１に記載の発明に係る電子機器は、
電磁遮蔽用導電性筐体（１０）内又はその周壁の一部（１１）に配置される機器本体（２０）と、筐体内にて支持される配線板（３０）と、この配線板に配置されて機器本体に接続される電子回路（５０乃至８０）とを備える。
【０００７】
そして、当該電子機器において、配線板は、その支持端部（３０ａ）にて、筐体の内壁の一部（１２）に支持されており、当該配線板は、上記支持端部を介し筐体の内壁の一部に接続された導電体用アース配線部（３１、３３、３４）と、このアース配線部中に直列接続したインダクタ（１００）とを備える。
【０００８】
これにより、筐体が、その周壁の一部にて、配線板の筐体用アース配線部及びインダクタを通し外部アース配線に接続されれば、配線板や機器本体から生ずる放射ノイズが高周波数ノイズとして筐体に入射しても、この入射ノイズに起因する高周波電流は、筐体から外部アース配線に流れ出るにあたり、インダクタにより減衰される。従って、外部アース配線を介する高周波数ノイズの誘導ノイズとしての漏洩が抑制され得る。
【０００９】
また、請求項１に記載の発明では、配線板は、電子回路用アース配線部（３２）を備えており、筐体用アース配線部は、外部アース配線（１１１）に対し電子回路用アース配線部の一部（３２ａ）と共に接続したアース端部を除き、電子回路用アース配線部とは分離して位置する。
【００１０】
従って、上述のように高周波電流が電子回路用アース配線部を介して外部アース配線側へ流れることがなく、その結果、上記高周波電流に起因する誘導ノイズの外部アース配線からの外部への漏洩がより一層確実に抑制され得る。
【００１１】
また、請求項２に記載の発明によれば、請求項１に記載の電子機器において、インダクタは、高周波ノイズを低減する周波数特性を有する。これにより、請求項１に記載の発明の作用効果をより一層確実に達成できる。
【００１２】
また、請求項３に記載の発明によれば、請求項１又は２に記載の電子機器において、機器本体は、筐体の周壁の一部に配置されたＥＬパネルであり、電子回路は、前記ＥＬパネルを駆動制御する回路であり、配線板は、外部アース配線に接続したアース端子を有するコネクタ（９０）を備えており、筐体用アース配線部は、アース端部にて、電子回路用アース配線部の一部と共に、コネクタのアース端子に接続されている。
【００１３】
このように、機器本体がＥＬパネルであり、電子回路が、ＥＬパネルを駆動制御する回路であっても、筐体に生ずる高周波電流は、インダクタの減衰作用のもと、適正に減衰され、請求項１又は２に記載の発明と同様の作用効果を達成できる。
【００１４】
なお、上記各手段の括弧内の符号は、後述する実施形態に記載の具体的手段との対応関係を示すものである。
【００１５】
【発明の実施の形態】
以下、本発明の一実施形態を図面により説明する。図１は、本発明に係る自動車用ＥＬ表示装置を概略的に示している。このＥＬ表示装置は、電磁遮蔽用筐体１０を備えており、この筐体１０は、後述するＥＬパネル２０やＥＬパネル用回路から低周波数帯域（０Ｈｚ乃至２ＭＨｚの範囲のＡＭラジオ周波数帯域）において発生するラジオ等の周辺機器へのノイズを低減するため、少なくとも上記ＥＬパネル用回路を覆うように、ニッケルメッキ鋼板や銅箔等の導電材料により形成されている。
【００１６】
また、当該ＥＬ表示装置は、図１或いは図２にて示すごとく、筐体１０の開口部１１に設けられたＥＬパネル２０と、筐体１０内に支持した配線板３０と、ＥＬパネル２０を配線板３０に電気的に接続する配線板４０と、配線板３０に配設した制御回路５０、電源回路６０、走査電極駆動回路７０、データ電極駆動回路８０及びコネクタ９０とを備えている。なお、制御回路５０、電源回路６０、走査電極駆動回路７０、データ電極駆動回路８０は上記ＥＬパネル２０用回路という。
【００１７】
ＥＬパネル２０は、概略的には、発光層を両誘電体層で挟持し、一方の誘電体層の表面に複数条の走査電極を形成し、かつ他方の誘電体層の表面に複数条の走査電極に交差して位置するように複数条のデータ電極を形成して構成されている。
【００１８】
配線板３０は、剛性のプリント配線板からなるもので、この配線板３０は、その端部３０ａにて、筐体１０内にその内壁から延出する支持壁１２（上記導電材料からなる）により、開口部１１に並行に支持されている。本実施形態では、配線板３０の上記端部に形成したアース配線部であるアースランド３１及び支持壁１２を通してネジ１３を挿通しこのネジにナット１４を締着することで、配線板３０は、支持壁１２に支持されている。
【００１９】
また、配線板３０は、平膜状のアース配線部３２を内蔵しており、このアース配線部３２は、図２にて示すごとく、アースランド３１とは分離して位置している。本実施形態では、アース配線部３２は上記ＥＬパネル２０用回路のアース用配線部として用いられている。
【００２０】
配線板４０は、柔軟性プリント配線板からなるもので、この配線板４０は、ＥＬパネル２０の走査電極及びデータ電極と配線板３０に電気的に接続されている。但し、本実施形態では、配線板４０は、図１にて示すごとく、ＥＬパネル２０と配線板３０との間に介在するようにＳ字状に湾曲して位置している。これにより、配線板４０が配線板３０及びＥＬパネル２０間の放射ノイズを吸収する役割を果たす。
【００２１】
コネクタ９０は、配線板３０の他の端部上に設けられており、このコネクタ９０は、そのアース端子にて、配線板３０の両アース配線部３３、３４及びこれら両アース配線部３３、３４間に接続したインダクタ１００を介してアースランド３１に電気的に接続されている（図２参照）。また、コネクタ９０は、上記アース端子にて、配線板３０のアース配線部３２の接続端部３２ａに接続されるとともに、外部の配線であるワイヤハーネス１１０のアース線１１１に接続されている。なお、ワイヤハーネス１１０はそのアース線１１１にて接地されている。
【００２２】
制御回路５０は、図３にて示すごとく、当該自動車に搭載の電子制御装置ＥＣＵからの表示データや調光データを受けて、走査電極駆動回路７０及びデータ電極駆動回路８０を駆動制御するためのクロック、データ及び制御信号を生成して発生する。電源回路６０は、走査電極駆動回路７０に電圧ＶＤＤＨ２を供給すると共に、データ電極駆動回路８０に電圧ＶＤＤＨ１を供給する。この電源回路６０は、スイッチングトランジスタ６１及びトランス６２（図１参照）を備えて、これらを約３０ｋＨｚにて駆動することで、上記各電圧の供給を行う。なお、上述した約３０ｋＨｚにおける駆動に起因して上記低周波数帯域のノイズが発生する。
【００２３】
走査電極駆動回路７０及びデータ電極駆動回路８０は、制御回路５０の出力に応じて電源回路６０からの電圧に基づき形成する波形の駆動電圧及びデータ電圧をＥＬパネル２０の走査電極及びデータ電極に印加してＥＬパネル２０をマトリクス駆動する。これにより、ＥＬパネル２０はマトリクス表示する。
【００２４】
インダクタ１００は、図４にて示すようなインピーダンス−周波数特性を有する。図４において、符号Ｘは、上記インピーダンス−周波数特性のうちリアクタンス成分の特性を示し、符号Ｒは、上記インピーダンス−周波数特性のうち実効抵抗成分の特性を示し、符号Ｚは、両特性Ｘ、Ｒの合成、即ち、上記インピーダンス−周波数特性を示す。ここで、インダクタ１００のインピーダンスは、低周波数帯域では、小さく、高周波数帯域（ＦＭ、ＴＶ周波数帯域である７４ＭＨｚ乃至２３０ＭＨｚ）では、大きくなっている。換言すれば、インダクタ１００は、低周波数帯域では小さな減衰特性を有し、高周波数帯域では大きな減衰特性を有する。なお、このインダクタ１００としては、村田製作所製ＢＬＭ１１Ｂ１０２Ｓ型インダクタが採用されている。
【００２５】
上述のように構成した本実施形態においては、上記ＥＬパネル用回路の作動により配線板３０やＥＬパネル２０から放射ノイズが発生すると、この放射ノイズが電磁波遮蔽用導電性筐体１０に入射する。ここで、このノイズが高周波ノイズである場合には、両アース配線部３３、３４間に接続したインダクタ１００のインピーダンスが、図４にて示すインピーダンス−周波数特性にて示すように、当該高周波ノイズの周波数範囲にて０．８ｋΩ乃至１．８ｋΩの範囲の値をとり高くなる。
【００２６】
このため、高周波ノイズが高周波電流として筐体１０から支持部１２、アースランド３１、アース配線部３４、インダクタ１００、アース配線部３３及びコネクタ９０のアース端子を通りワイヤハーネス１１０のアース線１１１側へ流れるとき、この高周波電流はインダクタ１００により十分に減衰される。従って、当該高周波電流に起因する誘導ノイズがアース配線部３３、コネクタ９０のアース端子及びワイヤハーネス１１０のアース線１１１から外部に漏れることが適正に抑制され得る。よって、ＥＬ表示装置の高周波ノイズが原因でその周辺機器に悪影響を与えることがなく高周波数帯域での電磁遮蔽が確保され電磁波の規制の厳しい自動車にも合致する。
【００２７】
この場合、上述のごとく、配線板３０の両アース配線部３３、３４は、コネクタ９０のアース端子でのみアース配線部３２と共通に接続されているのみで、インダクタ１００と共に、アース配線部３２とは分離している。従って、上述のように筐体１０に流れる高周波電流がアース配線部３２を介してワイヤハーネス１１０側へ流れることがなく、その結果、上記高周波電流に起因する誘導ノイズのワイヤハーネス１１０からの外部への漏洩がより一層確実に抑制され得る。
【００２８】
また、上述のように筐体１０に入射するノイズが低周波ノイズである場合には、インダクタ１００のインピーダンスが、図４にて示すインピーダンス−周波数特性にて示すように、当該低周波ノイズの周波数範囲にて１０Ω程度と小さくなる。このため、低周波ノイズが低周波電流として筐体１０から支持部１２、アースランド３１、アース配線部３４、インダクタ１００、アース配線部３３及びコネクタ９０のアース端子を通りワイヤハーネス１１０のアース線１１１側へ流れる。これにより、ラジオ等の周辺機器に対する低周波数帯域での電磁遮蔽が確保され得る。
【００２９】
ちなみに、本実施形態のようにインダクタ１００を採用した場合と採用しない場合とにおいて減衰効果を比較してみたところ、図５にて示すような結果が得られた。ここで、図５（ａ）は、本実施形態のようにインダクタ１００を採用した場合の減衰の周波数特性を示し、図５（ｂ）は、インダクタ１００を採用しない場合の減衰の周波数特性を示す。両者を比較すれば、図５（ａ）の特性の方が、図５（ｂ）の特性よりも減衰効果が大きいことが分かる。
【００３０】
なお、本発明の実施にあたり、ＥＬ表示装置に限ることなく、低周波ノイズや高周波ノイズを発生する電子機器に本発明を適用してもよい。この場合、電子機器は、ＥＬパネル２０に対応する機器本体及び上記ＥＬパネル用回路に対応する回路を有する。
【００３１】
また、上記実施形態では、筐体１０がＥＬ表示装置に含まれているが、この筐体１０は、ＥＬ表示装置に含めないこととしてもよい。
【図面の簡単な説明】
【図１】本発明の一実施形態を示す概略断面図である。
【図２】図１の配線板をアース配線部、インダクタ、ＥＬ用回路、コネクタ等と共に示す平面図である。
【図３】図１のＥＬパネルを駆動制御する回路のブロック図である。
【図４】図２のインダクタのインピーダンス−周波数特性を示すグラフである。
【図５】（ａ）は、インダクタを採用した場合のノイズレベルの減衰の周波数特性を示す図であり、（ｂ）は、インダクタを採用しない場合のノイズレベルの減衰の周波数特性を示す図である。
【符号の説明】
１０…筐体、１１…開口部、１２…支持壁、２０…ＥＬパネル、
３０、４０…配線板、３０ａ…端部、３２ａ…接続端部、
３１…アースランド、３２、３３、３４…アース配線部、５０…制御回路、
６０…電源回路、７０…走査電極駆動回路、８０…データ電極駆動回路、
９０…コネクタ、１００…インダクタ、１１０…ワイヤハーネス、
１１１…アース線。
【図１】
0003758430.tif 000002
【図２】
0003758430.tif 000003
【図３】
0003758430.tif 000004
【図４】
0003758430.tif 000005
【図５】
0003758430.tif 000006